【手続補正書】
【提出日】平成15年9月1日(2003.9.1)
【手続補正１】
【補正対象書類名】明細書
【補正対象項目名】全文
【補正方法】変更
【補正の内容】
【発明の名称】可動式収納装置
【特許請求の範囲】
【請求項１】キャビネットと、前記キャビネット内に配した収納ラック等の可動体と、前記可動体を移動自在に支持する可動支持機構と、前記キャビネットに設けた扉体と、前記可動体を前記キャビネットから出し入れする操作に連動して扉体を開閉させる扉開閉手段とで構成され、前記扉体の重量を相殺する方向に付勢する扉付勢手段を設けた可動式収納装置。
【請求項２】可動支持機構は、可動体を昇降自在に支持する昇降支持機構とした請求項１記載の可動式収納装置。
【請求項３】扉体は、フラップ式の扉とした請求項１または２記載の可動式収納装置。
【請求項４】可動体にハンドル部を設け、前記ハンドル部はキャビネットの外部に設置した請求項１ないし３のいずれか１項記載の可動式収納装置。
【請求項５】扉付勢手段は、キャビネットと扉体との間に設けた請求項１ないし４のいずれか１項記載の可動式収納装置。
【請求項６】扉付勢手段は、電気駆動手段とした請求項１ないし５のいずれか１項記載の可動式収納装置。
【請求項７】扉付勢手段によって扉体に作用する付勢力を可変する付勢力調整手段を設けた請求項１ないし６のいずれか１項記載の可動式収納装置。
【請求項８】扉体の閉塞状態における扉付勢手段による付勢力は、略零ないしは扉体を閉塞する方向へ作用する構成とした請求項１ないし７のいずれか１項記載の可動式収納装置。
【請求項９】扉付勢手段は、扉開閉用ヒンジと一体で構成した請求項１ないし８のいずれか１項記載の可動式収納装置。
【請求項１０】可動体を駆動する可動体用電動駆動手段を設けた請求項１ないし９のいずれか１項記載の可動式収納装置。
【発明の詳細な説明】
【０００１】
【発明の属する技術分野】
本発明は、可動式の収納装置に関するものである。
【０００２】
【従来の技術】
従来、この種の収納装置は特開平１０−２８６１３１号公報に記載されているようなものがある。この装置は図９に示したように、収納キャビネット１と、収納キャビネット１内に設けたラック体２と、ラック体２を出し入れ自在に支持する昇降支持装置３と、収納キャビネット１に設けた扉４と、この扉４とラック体２の動作を連動させるスライダー５と、可動体を移動させるハンドル６とで構成されていた。スライダー５は、収納キャビネット１からラック体２を出し入れする動作と扉４の開閉を連動するため、扉４の開成や閉塞の動作を必要とせず、ラック体２を一回動作させるだけで収納キャビネット１から引出したり、格納したりできるようになっていた。
【０００３】
【発明が解決しようとする課題】
しかしながら、従来の収納装置では、ラック体２の移動と同時に扉４を開放させるため、ラック体２を動作させる際には、扉４を開閉させるための操作力が余分に必要となる。図９のように扉４を上方へ開成する場合には、扉４の重力に逆らって動作させる必要があるため、大きな操作力が必要となり、ラック体２を引き出す操作が重くなるという課題を有していた。また、扉４の材質や寸法によっては、扉４の重量が重くなり、ラック体２を引出すことが不可能となる場合もあった。
【０００４】
また、図１０のように、扉４に作用するスライダー５の作用点を低く（扉の開閉支点からの距離を長く）することにより、このラック体２の操作力を軽減することができるが、この場合には、斜線Ａで示したラック体２の上部空間が収納不能なデッドスペースとなり、収納容積が減少するという課題を有していた。
【０００５】
なお、扉の開放方向が下開きの場合には、扉を閉塞する際に大きな力が必要となり、ラック体を収納キャビネットに格納する際に大きな操作力を必要とする課題を有する。
【０００６】
【課題を解決するための手段】
本発明は上記課題を解決するために、キャビネットと、前記キャビネット内に配した収納ラック等の可動体と、前記可動体を移動自在に支持する可動支持機構と、前記キャビネットに設けた扉体と、前記可動体を前記キャビネットから出し入れする操作に連動して扉体を開閉させる扉開閉手段とで構成され、前記扉体の重量を相殺する方向に付勢する扉付勢手段を設けたものである。
【０００７】
上記発明によれば、扉体の重量をキャンセルする方向に扉付勢手段による付勢力が作用するため、扉体の開閉操作に必要な力は小さくなり、軽い操作力で可動体を動作させることができる。付勢力の設定次第では、ほとんど零の力で扉の開閉を行うことも可能である。また、自然に扉体が開放するように付勢力を作用させることも可能であり、より使い勝手の良い収納装置を提供することができる。
【０００８】
また、小さい操作力で可動体を動作できるため、扉開閉手段が扉体に作用する点を上方に（扉開閉支点からの距離を短く）設置することができ、可動体の上部空間まで収納部として使用でき、収納容積が増加し、キャビネットの容積を有効に利用できる。これによって、軽い操作力と広い収納容積とを両立できる。
【０００９】
【発明の実施の形態】
本発明は、請求項１に記載のように、キャビネットと、前記キャビネット内に配した収納ラック等の可動体と、前記可動体を移動自在に支持する可動支持機構と、前記キャビネットに設けた扉体と、前記可動体を前記キャビネットから出し入れする操作に連動して扉体を開閉させる扉開閉手段とで構成され、前記扉体の重量を相殺する方向に付勢する扉付勢手段を設けたものである。扉体は、可動体の動作に連動して開閉するため、可動体を出し入れする一回の動作だけで扉体を有するキャビネット内に格納された可動体を出し入れすることができる。また、扉付勢手段による付勢力は、扉体の重量をキャンセルする方向に作用するため、扉体の重量に依らず扉体の開閉操作に必要な力は小さくなり、軽い操作力で可動体と扉体を連動させることができる。また、操作力が小さくなることから、収納容積を犠牲にして操作力を軽くする必要がなくなり、軽い操作力と広い収納容積とを両立できる。
【００１０】
また、請求項２の可動式収納装置は、可動支持機構は、可動体を昇降自在に支持する昇降支持機構としたものであり、例えば、高所設置のキャビネットから可動体を降下させて収納物を手元で出し入れすることができる。また、この際、高所設置のキャビネットの扉体を開閉する動作が不要となり、不安定な高所での操作を軽減できる。
【００１１】
また、請求項３の可動式収納装置は、扉体は、フラップ式の扉としたものである。フラップ式の扉では、扉体の開閉動作は、扉体の重力に逆らって動作するため、非常に大きな操作力を必要とするが、扉付勢手段を設けることにより、軽い操作力で可動体と扉体を連動させることができる。
【００１２】
また、請求項４の可動式収納装置は、可動体にハンドル部を設け、前記ハンドル部はキャビネットの外部に設置したものであり、可動体を動作させる際にキャビネットや扉体に邪魔されることなく、安全にハンドル操作が行える。また、ハンドル部がキャビネット外にあるため、可動体の一部と扉体とでキャビネットの開放面を完全に閉塞することも可能となり、キャビネット内にゴミ、埃、臭いや蒸気などが侵入することを防止できる。
【００１３】
また、請求項５の可動式収納装置は、扉付勢手段は、キャビネットと扉体との間に設けたものであり、直接付勢力が働くため、最も効率よく付勢力を作用させることができる。また、途中に部材を介した場合と比べて枢軸部分のがたつきの影響や経時変化による付勢力の変動が生じにくい。
【００１４】
また、請求項６の可動式収納装置は、扉付勢手段は、電気駆動手段としたものであり、扉体の重量が重い場合でも十分な付勢力を作用させることができる。
【００１５】
また、請求項７の可動式収納装置は、扉付勢手段によって扉体に作用する付勢力を可変する付勢力調整手段を設けたものであり、扉体の種類や材質や寸法等が変化しても、最適な付勢力に調整することができる。同一の扉付勢手段で複数の扉体に対応できるため、部品種類の減少やコストダウンにつながる。
【００１６】
また、請求項８の可動式収納装置は、扉体の閉塞状態における扉付勢手段による付勢力は、略零ないしは扉体を閉塞する方向へ作用する構成としたものであり、扉体の閉塞時には、確実に扉体の閉塞状態を保つことができる。
【００１７】
また、請求項９の可動式収納装置は、扉付勢手段は、扉開閉用ヒンジと一体で構成したものであり、扉体に扉開閉用ヒンジと扉付勢手段の両方を設置する必要がなく、組立工程が簡素化でき、優れた外観が得られる。また、扉体に設置する部材が減少することから、キャビネットの開口部への障害が少なくなり、広くキャビネットの開口部を利用できる。
【００１８】
また、請求項１０の可動式収納装置は、可動体を駆動する可動体用電動駆動手段を設けたものであり、可動体や扉の重量が大きい場合でも、可動体用電動駆動手段が可動体を動作させる力を補助するため、作業者は軽い力で可動体を移動させることがでる。また、扉体の重量は扉付勢手段によって相殺されているため、可動体用電動駆動手段の駆動力は小さくて済み、駆動手段の小型化が図れる。また、可動体用電動駆動手段だけで可動体を動作可能とした場合には、リモコン等により、自動的に駆動させることもできる。
【００１９】
【実施例】
以下、本発明の実施例について図面を用いて説明する。
【００２０】
（実施例１）
図１は本発明の実施例１の可動式収納装置の外観斜視図であり、図２は同可動式収納装置の格納状態における概略断面図、図３は同可動式収納装置の引き出し状態における概略断面図である。
【００２１】
図において、収納ラック等の可動体７は可動支持機構（昇降支持機構）８によってキャビネット９に支持されている。ここで、昇降支持機構８は平行リンクを構成する２本の回転アーム１０、１１であり、枢軸１２、１３でキャビネット９側に枢支され、枢軸１４、１５で可動体７に枢支されている。また、扉体１６は例えばキャビネット９の開口面の上方で、扉開閉用ヒンジ１７にて取付けられ、上方に開放するフラップ式になっている。また、扉開閉手段である開閉リンク１８を枢軸１９で可動体７に旋回自在に枢支し、この扉開閉リンク１８の先端に設けた先端ローラー２０と係合するガイド部２１を扉体１６内面に設置している。さらに、キャビネット９と扉体１６との間に扉付勢手段２２を設置しており、枢軸２３で扉体１６に、多端は枢軸２４でキャビネット９側面に旋回自在に固定されている。本実施例における扉付勢手段２２は、ばね材とし、圧縮ばね（２２）を用いており、扉体１６の重量によるモーメントと圧縮ばね２２によるモーメントはほぼ一致するように構成されている。また、可動体７を動作させるハンドル部２５を可動体７に設けている。
【００２２】
また、回転アーム１０、１１の枢軸１２、１３は軸受ユニット２６（図２、図３では点線で表示）に設置し、この軸受ユニット２６をキャビネッ１６トの内面に固定している。この軸受ユニット２６の内部には、回転アーム１１（昇降支持機構８）の移動に対して作用する可動体用ばね材２７とダンパ等の緩衝装置２８を設置している（図２にのみ記載）。
【００２３】
また、可動支持機構８である回転アーム１０、１１は、可動体７の両側に設けており、左右の回転アームの動作を同期させる連結手段２９を枢軸１２付近に設けている。
【００２４】
次に動作、作用について説明すると、ハンドル部２５を持って可動体７を動作させると、平行リンク構成である可動支持機構８（回転アーム１０、１１）の旋回によって可動体７は昇降する。キャビネット９を厨房等の高所に設置した場合には、可動体７を下方へ引き降ろして利用することができ、踏み台等を使用せずに手元で物品の出し入れを行うことができる。この時、左右の回転アーム１０、１１の動きは連結手段２９によって同期されており、左右の回転アーム１０、１１が捩れることなく、安定して可動体７を移動させることができる。
【００２５】
また、可動体７に設けた開閉リンク１８によって可動体７と扉体１６は連動しており、可動体７の動作に連動して扉体１６は開閉する。可動体７をキャビネット９から引き出す際には、開閉リンク１８によって扉体１６は押し上げられ、扉体１６は開成し、一回の動作で扉体１６の開放と可動体７の移動動作を行える。この際、開閉リンク１８の先端ローラー２０は、扉体１６に設けたガイド部２１によって、ガイドされるため、扉体１６の連動を確実に行うことができる。一方、可動体７をキャビネット９に格納する際には、可動体７の格納動作と連動して扉体１６も閉塞される。この例では、開閉リンク１８がガイド部２１を介して扉体１６を引き込むため、確実に扉体１６を閉塞させることができ、また格納後の扉体１６は閉塞状態を保つことができる。このように、可動体７をキャビネット９から引き出す時も、格納する時も、いずれの場合も扉体１６を開閉する動作が不要であり、閉塞された扉内に設置された可動体７を、一回の動作で素早く昇降させることができる。
【００２６】
また、扉付勢手段である圧縮ばね２２は、扉体１６を開成する方向、すなわち扉体１６の重量をキャンセルする方向に、付勢力を作用する。このため、扉体１６の開閉操作に必要な力は小さくなり、可動体７を昇降させる操作力も軽くなる。また、小さい操作力で可動体７を動作できるため、扉付勢手段２２が扉体１６に作用する点を上方（扉開閉支点からの距離を短く）に設置することができ、可動体７の上部空間まで収納部として使用でき、収納容積が増加し、キャビネット９の容積を有効に利用できる。これによって、軽い操作力と広い収納容積とを両立できる。
【００２７】
また、扉付勢手段２２の構成次第では、付勢力を任意に設定でき、本実施例では扉体１６の重量によって扉体１６に作用するモーメントと扉付勢手段２２によって扉体１６に作用するモーメントとが、扉体１６の移動範囲の全域で略一致するように構成している。扉体１６の重量と付勢力がバランスしていることから、常に小さい力で扉体１６は開閉することができ、扉体１６が存在しない場合とほぼ同等の軽い操作力で可動体７を出し入れすることができ、円滑に可動体７を動作させることができる。
【００２８】
また、扉体１６の閉塞状態における扉付勢手段２２による付勢力は、わずかに扉体１６を閉塞する方向へ作用する構成としており、図のような扉体１６の閉塞時には、確実に扉体１６の閉塞状態を保つことができる。
【００２９】
また、ハンドル部２５をキャビネット９外部に設置した場合には、キャビネット９や扉体１６に邪魔されることなく、安全にハンドル部２５を操作することができる。また、ハンドル部２５は可動体７の底面よりも下方に設置することも可能であり、背の低い人にも容易に昇降操作が行える。また、ハンドル部２５がキャビネット９の外部にあるため、図２のように可動体７の一部と扉体１６とで、キャビネット９の開口部を完全に閉塞することも可能であり、キャビネット９内にゴミ、埃、臭いや蒸気などが侵入することを防止できる。
【００３０】
また、回転アーム１１（昇降支持機構８）の動作に対して可動体用ばね材２７を作用させた場合には、可動体７を動作する際の操作力が小さくなるように作用し、扉付勢手段２２と効果と併せて、より軽く可動体を出し入れできる。なお、この可動体用ばね材２７は、可動体７の操作力を軽減するものであり、扉体１６の開閉を軽くするものではない。可動支持機構８や扉体１６の構成次第では、扉付勢手段２２として作用する場合もあるが、本実施例のような構成では扉付勢手段としてはほとんど効果がない。
【００３１】
また、回転アーム１１（昇降支持機構８）の動作に対して作用する油圧ダンパ等の緩衝装置２８を用いた場合には、可動体７がゆっくりと動作するように作用し、可動体７が急に動作したり、危険速度で動作することを防止する。
【００３２】
また、図示していないが、可動体７を駆動する可動体用電動駆動手段を設けた場合には、可動体７や扉体１６の重量が大きい場合でも、可動体用電動駆動手段が可動体７を動作させる力を補助するため、作業者は軽い力で可動体７を移動させることがでる。また、扉体１６の重量は扉付勢手段２２によって相殺されているため、可動体用電動駆動手段の駆動力は小さくて済み、駆動手段の小型化が図れる。また、可動体用電動駆動手段だけで可動体７を動作可能とした場合には、リモコン等により、自動的に駆動させることもできる。
【００３３】
なお、本実施例では、扉付勢手段２２は、ばね材とし、圧縮ばねを用いたが、これに限定するものではなく、引張ばね、ねじりばね、板ばねやガススプリング等であっても同様の効果が得られる。また、ばね材を直接扉体に作用させずに、リンク等の部材を介して設けることもでき、付勢力の特性を任意に設定する場合には、より効果的である。
【００３４】
また、扉付勢手段２２は、キャビネット９と扉体１６との間に設けたが、これに限定するものではなく、可動体７と扉体１６や、可動支持機構８と扉体１６との間に設けてもよい。
【００３５】
また、扉開閉手段１８として開閉リンクを用いたが、回転する構造に限ったものではなく、直線移動するものや、あるいは移動しない固定された構造であっても、同様の効果が得られる。また、扉開閉手段は１８は、可動体７に設けたが、これに限定するのではなく、可動支持機構８やキャビネット９などの他の場所に設置してもかまわない。
【００３６】
（実施例２）
図４は本発明の実施例２の可動式収納装置の概略断面図であり、図２、図３に示した実施例１と同じ構成要素には同一の符号を付与している。
【００３７】
図４に示すように、扉体１６の上部に扉付付勢手段として黄銅製等のウエイトバランサ３１を設置している。
【００３８】
扉開閉用ヒンジ１７を支点として、扉体１６とウエイトバランサ３１との重量は相殺するように作用し、実施例１と同様の作用、効果が得られる。
【００３９】
（実施例３）
図５は本発明の実施例３の可動式収納装置の概略断面図であり、図２、図３に示した実施例１と同じ構成要素には同一の符号を付与している。
【００４０】
図５に示したように、扉体１６を駆動する電気駆動手段として電動モータ３２をキャビネット９に設置し、電動モータ３２の駆動を制御する制御部３３を設けている。
【００４１】
扉体１６の重量を相殺する方向に駆動力を作用させることにより、実施例１と同様の作用、効果が得られ、電動モータ３２が扉付付勢手段となるものである。
【００４２】
なお、電気駆動手段（電動モータ）３２は、キャビネット９に設ける必要はなく、扉体１６や可動体７、可動支持機構８等に設置しても同様の効果が得られる。
（実施例４）
図６は本発明の実施例４の可動式収納装置の概略断面図であり、図２、図３に示した実施例１と同じ構成要素には同一の符号を付与している。
【００４３】
構成は、基本的には実施例１と同様であるが、扉開閉手段としての開閉リンク１８を可動支持機構８（回転アーム１０、１１）に設置し、開閉リンク１８の先端ローラー２０をガイドするガイド部は設置していない。また、扉付勢手段である圧縮ばね２２の設置位置２４をＢ、Ｃ、Ｄと任意に変えることができる付勢力調整手段３４を設けている。
【００４４】
開閉リンク１８を可動支持機構８に設けた場合でも、開閉リンク１８は実施例１の場合と同様の動作をし、実施例１と同様の作用、効果が得られる。実施例１のように開閉リンク１８を可動体７に設けた場合と比べて、可動支持機構８の動作を扉体１６に伝達する際に、可動支持機構８、開閉リンク１８、扉体１６の経路で伝わり、途中で可動体７を介さないため、枢軸部分のがたつき等の影響が少なく、また経時変化によっても扉体１６に作用する付勢力が変化しにくい。
【００４５】
また、圧縮ばね２２の設置位置２４をＢ、Ｃ、Ｄと変化させられる付勢力調整手段３４を設けており、扉体１６に作用する付勢力を調整することができる。Ｂの位置が最も強い付勢力が得られ、Ｄの位置では付勢力は弱まる。この圧縮ばね２２の設置位置２４を変えることにより、扉体１６の材質や寸法との違いによる重量の違いに対応することができ、異なる種類の扉体１６を用いた場合でも、実施例１に示した如く効果を得ることができる。
【００４６】
また、本実施例では、扉体１６の重量によって扉体１６に作用するモーメントよりも扉付勢手段２２によって扉体１６に作用するモーメントの方が常に小さくなるように扉付勢手段２２の付勢力を設定している。この場合、可動体１６をキャビネット９に格納し、扉体１６を閉塞する際には、扉体１６は自然に閉塞するため、扉体１６を閉塞する手段を設ける必要がない。つまり、開閉リンク１８の先端ローラー２０をガイドするガイド部によって扉体１６を引き戻す必要がなく、ガイド部を用いない構成とすることができ、構成を簡素化できる。
【００４７】
（実施例５）
図７は本発明の実施例５の可動式収納装置の概略断面図であり、図２、図３に示した実施例１と同じ構成要素には同一の符号を付与している。
【００４８】
構成は実施例１とほぼ同様であるが、扉付勢手段２２は２本の付勢リンク（付勢リンクＡ３５、付勢リンクＢ３６）と引張ばね３７で構成しており、付勢リンクＡ３５の一端は扉体１６に、他端は付勢リンクＢ３６に枢支し、付勢リンクＢ３６の他端はキャビネット固定部材３８に枢支されている。また、引張ばね３７の両端は、キャビネット固定部材３８と付勢リンク上に取り付けられ、キャビネット固定部材３８はキャビネット９に固定されている。また、キャビネット固定部材３８と付勢リンクＡ３５を扉体１６に固定する扉体固定部材３９はそれぞれ扉開閉用ヒンジ１７のキャビネット側と扉体側に一体で構成されている。
【００４９】
作用、効果は、実施例１同様であるが、引張ばね３７を用いても、扉体１６を開放する方向に付勢力を作用させることができる。また、リンク部材を併用することにより、より有用な特性に付勢力を設定することもできる。また、扉開閉用ヒンジ１７と一体で構成されており、扉体１６に複数の部材を取付ける必要がなく、構造および組立工程の簡素化が図れる。
【００５０】
（実施例６）
図８は本発明の実施例６の可動式収納装置の概略断面図であり、図２、図３に示した実施例１と同じ構成要素には同一の符号を付与している。
【００５１】
図において、収納ラック等の可動体７は可動支持機構８によってキャビネットに支持されている。ここで、可動支持機構８はスライドレール４０、４１であり、キャビネット９の側面と可動体７との間に設置されている。また、扉体１６はキャビネット９の開口部の下部に、扉開閉用ヒンジ１７で取付けられ、下方に開放されるようになっている。また、可動体７に、扉開閉手段として開閉部材４２を固定し、その先端部には回転する先端ローラー４３を設けている。さらに、キャビネット９と扉体１６との間に扉付勢手段として引張ばね４４を設置しており、固定軸４５で扉体１６に、固定軸４６はキャビネット９の側面に設置されている。また、可動体７を動作させるハンドル部２５をキャビネット９の外部に設けている。なお、扉付勢手段４４の付勢力は、扉体１６の重量によって扉体１６に作用するモーメントよりも扉付勢手段４４によって扉体１６に作用するモーメントの方が常に大きくなるように設定されている。
【００５２】
次に動作、作用について説明すると、ハンドル部２５を持って可動体７を動作させると、可動体７は前後に移動し、可動体７がキャビネット９の外部に引き出される。キャビネットの奥に収納していた収納物も前方に引き出すことができ、容易に出し入れすることができる。また、可動体７に設けた開閉部材４２によって、扉体１６は連動し、可動体７の動作に連動して扉体１６は開閉する。可動体７をキャビネット９から引き出す際には、開閉部材４２によって扉体１６は開成し、一回の動作で扉体１６の開放と可動体７の移動動作を行える。また、可動体７をキャビネット９に格納する際には、扉付勢手段４４と扉体１６とのバランスによって、扉体１６は自然に閉塞する。つまり、扉体１６を閉塞する手段を設ける必要がなく、可動体７をキャビネット９に格納すると、自動的に扉体１６も閉塞される。このように、可動体７を引き出す時も、格納する時も、いずれの場合も扉体１６を開閉する動作が不要であり、閉塞された扉内に設置された可動体７を、一回の動作で素早く出し入れすることができる。
【００５３】
【発明の効果】
以上のように本発明によれば、可動体をキャビネットから出し入れする操作に連動して扉体を開閉させる扉開閉手段と、扉体の重量を相殺する方向に付勢する扉付勢手段を設けており、扉体は、可動体の動作に連動して開閉するため、可動体を出し入れする一回の動作だけで扉体を有するキャビネット内に格納された可動体を出し入れすることができる。また、扉付勢手段による付勢力は、扉体の重量をキャンセルする方向に作用するため、扉体の重量に依らず扉体の開閉操作に必要な力は小さくなり、軽い操作力で可動体と扉体を連動させることができる。また、操作力を小さくするために、収納容積を犠牲にする必要がなく、軽い操作力と広い収納容積とを両立できる。
【００５４】
また、可動支持機構を、可動体を昇降自在に支持する昇降支持機構とした場合には、高所設置のキャビネットから可動体を降下させて収納物を手元で出し入れすることができるとともに、高所設置のキャビネットの扉体を開閉する動作が不要となり、不安定な高所での操作を軽減できる。
【００５５】
また、可動体にハンドル部を設け、そのハンドル部をキャビネットの外部に設置したものは、可動体を動作させる際にキャビネットや扉体に邪魔されることなく、安全にハンドル操作を行える。また、ハンドル部がキャビネット外にあるため、可動体の一部と扉体とでキャビネットの開放面を完全に閉塞することも可能となり、キャビネット内にゴミ、埃、臭いや蒸気などが侵入することを防止できる。
【００５６】
また、扉付勢手段を、キャビネットと扉体との間に設けた場合には、直接付勢力が働くため、最も効率よく付勢力を作用させることができる。また、途中に部材を介した場合と比べて枢軸部分のがたつきの影響や経時変化による付勢力の変動が生じにくい。
【００５７】
また、扉付勢手段を、ばね材とした場合には、電気エネルギを用いる必要もなく、簡単な構成で、安価に付勢力を作用させることができる。
【００５８】
また、扉付勢手段を、重り等のウエイトバランサとした場合には、電気エネルギを用いる必要もなく、簡単な構成で、安価に付勢力を作用させることができる。
【００５９】
また、扉付勢手段を、電気駆動手段とした場合には、扉体の重量が重い場合でも十分な付勢力を作用させることができる。
【００６０】
また、扉付勢手段によって扉体に作用する付勢力を可変する付勢力調整手段を設けたものは、扉体の種類や材質や寸法等が変化しても、最適な付勢力に調整することができる。同一の扉付勢手段で複数の扉体に対応できるため、部品種類の減少やコストダウンにつながる。
【００６１】
また、扉体の重量によって扉体に作用するモーメントと扉付勢手段によって扉体に作用するモーメントとが、扉体の移動範囲の全域で略一致する構成とした場合には、扉体重量と付勢力がバランスしており、常に軽い操作力で可動体と扉体を連動させることができる。また、可動体のみを動作している如く操作できるため、円滑な操作性が得られる。
【００６２】
また、上開きの扉において、扉体の重量によって扉体に作用するモーメントよりも扉付勢手段によって扉体に作用するモーメントの方が常に小さくなる構成とした場合には、可動体を格納する際に、自然に扉体は閉塞するため、扉体を閉塞する手段を設ける必要がない。
【００６３】
また、下開きの扉において、扉体の重量によって扉体に作用するモーメントよりも扉付勢手段によって扉体に作用するモーメントの方が常に大きくなる構成とした場合には、可動体を格納する際には、自然に扉体は閉塞するため、扉体を閉塞する手段を設ける必要がない。
【００６４】
また、扉体の閉塞状態における扉付勢手段による付勢力が、略零ないしは扉体を閉塞する方向へ作用する構成とした場合には、扉体の閉塞時には、確実に扉体の閉塞状態を保つことができる。
【００６５】
また、扉付勢手段を、扉開閉用ヒンジと一体で構成した場合には、扉体に扉開閉用ヒンジと扉付勢手段の両方を設置する必要がなく、組立工程が簡素化でき、優れた外観が得られる。また、扉体に設置する部材が減少することから、キャビネットの開口部への障害が少なくなり、広くキャビネットの開口部を利用できる。
【００６６】
また、可動体の移動に対して作用する可動体用ばね材を用いた場合には、可動体を動作する際の操作力が小さくなるように作用し、扉付勢手段と効果と併せて、より軽く可動体を出し入れできる。また、可動体の移動に対して作用する緩衝装置を設けた場合には、可動体がゆっくり動作するように作用し、急に動作したり、危険速度で動作することを防止する。
【００６７】
また、可動体を駆動する可動体用電動駆動手段を設けた場合には、可動体や扉の重量が大きい場合でも、作業者は軽い力で可動体を移動させることができる。また、扉体の重量は扉付勢手段によって相殺されているため、可動体用電動駆動手段の駆動力は小さくて済み、駆動手段の小型化が図れる。また、可動体用電動駆動手段だけで可動体を動作可能とした場合には、リモコン等により、自動的に駆動させることもできる。
【図面の簡単な説明】
【図１】本発明の実施例１の可動式収納装置の外観斜視図
【図２】同可動式収納装置の格納状態における概略断面図
【図３】同可動式収納装置の引き出し状態における概略断面図
【図４】本発明の実施例２の可動式収納装置の概略断面図
【図５】本発明の実施例３の可動式収納装置の概略断面図
【図６】本発明の実施例４の可動式収納装置の概略断面図
【図７】本発明の実施例５の可動式収納装置の概略断面図
【図８】本発明の実施例６の可動式収納装置の概略断面図
【図９】従来の可動式収納装置の概略斜視図
【図１０】同可動式収納装置の概略断面図
【符号の説明】
７  可動体
８  昇降支持機構（可動支持機構）
９  キャビネット
１０、１１  回転アーム（昇降支持機構）
１６  扉体
１７  扉開閉用ヒンジ
１８  開閉リンク（扉開閉手段）
２２  扉付勢手段（圧縮ばね）
２５  ハンドル部
２７  可動体用ばね材
２８  緩衝装置
３０  可動体用電気駆動手段
３１  ウエイトバランサ
３２  電動モータ（扉付勢手段）
３４  付勢力調整手段
３５、３６  付勢リンクＡ、Ｂ
３７  引張ばね（扉付勢手段）
４０、４１  スライドレール（可動支持機構）
４２  開閉部材（扉開閉手段）
４４  引張ばね（扉付勢手段）